(57)【要約】【課題】場所や状況に応じて様々なデザインに変更可能であり、着脱し易い衣服の提供。【解決手段】後身頃１と、片側前身頃２と、複数の他側前身頃３ａ，３ｂ，３ｃとを備え、片側前身頃２の一方の肩端部及び一方の脇端部を後身頃１の一方の肩端部及び一方の脇端部にそれぞれ縫着し、他側前身頃３ａ，３ｂ，３ｃの一方の肩端部及び一方の脇端部を後身頃１の他方の肩端部及び他方の脇端部にそれぞれ着脱可能に連結して、複数の他側前身頃３ａ，３ｂ，３ｃのいずれか一つを後身頃１に交換可能に取り付けてある。【選択図】図１
0003193805.tif 000002
【実用新案登録請求の範囲】
【請求項１】
後身頃と、片側前身頃と、複数の他側前身頃とを備え、前記片側前身頃の一方の肩端部及び一方の脇端部を前記後身頃の一方の肩端部及び一方の脇端部にそれぞれ縫着し、前記他側前身頃の一方の肩端部及び一方の脇端部を前記後身頃の他方の肩端部及び他方の脇端部にそれぞれ着脱可能に連結して、前記複数の他側前身頃のいずれか一つを前記後身頃に交換可能に取り付けてあることを特徴とする衣服。
【請求項２】
前記片側前身頃の他方の肩端部を前記後身頃の他方の肩端部に着脱可能に連結し、前記他側前身頃の他方の肩端部を前記後身頃の一方の肩端部に着脱可能に連結し、前記片側前身頃と前記他側前身頃とを摺動可能に重ね合わせてあることを特徴とする請求項１に記載の衣服。
【考案の詳細な説明】
【技術分野】
【０００１】
本考案は、上半身用の衣服に関する。
【背景技術】
【０００２】
従来、前身頃の中央部、左脇、右脇、並びに、左右袖の袖付けの前身頃側と袖下が係止具により開閉自在である上衣が知られている（特許文献１参照）。
この上衣は、両側前身頃、袖及び後身頃が互いに分離可能であって、高齢者や障害がある人でも比較的容易に着脱できる。
しかし、上衣を構成する両側前身頃等の各部材をそれぞれ１枚ずつ備えているだけなので、これらの部材を分離できるとはいえ、着用する際には常に同じデザインになってしまう。
【先行技術文献】
【特許文献】
【０００３】
【特許文献１】特開２００２−１６１４１８号公報
【考案の概要】
【考案が解決しようとする課題】
【０００４】
本考案が解決しようとする課題は、場所や状況に応じて様々なデザインに変更可能な衣服を提供することにある。
【課題を解決するための手段】
【０００５】
本考案の衣服は、後身頃と、片側前身頃と、複数の他側前身頃とを備え、前記片側前身頃の一方の肩端部及び一方の脇端部を前記後身頃の一方の肩端部及び一方の脇端部にそれぞれ縫着し、前記他側前身頃の一方の肩端部及び一方の脇端部を前記後身頃の他方の肩端部及び他方の脇端部にそれぞれ着脱可能に連結して、前記複数の他側前身頃のいずれか一つを前記後身頃に交換可能に取り付けてある。
前記片側前身頃の他方の肩端部を前記後身頃の他方の肩端部に着脱可能に連結し、前記他側前身頃の他方の肩端部を前記後身頃の一方の肩端部に着脱可能に連結し、前記片側前身頃と前記他側前身頃とを摺動可能に重ね合わせてもよい。
【考案の効果】
【０００６】
請求項１に係る考案によれば、他側前身頃を交換することにより、着用する場所や状況、或いは好みに応じて簡単にデザインを変更することができる。
また、デザインの異なる多数の衣服を用意して持ち歩く必要がなく、嵩張らないので、旅行等の際に携帯するのに便利である。
請求項２に係る考案によれば、片側前身頃及び他側前身頃の他方の肩端部を後身頃の肩端部に係脱するだけで、簡単に着たり脱いだりできる。
また、片側前身頃と他側前身頃が摺動可能に重なっているため、重なり幅が変化して身体のサイズの違いに対応し易く、体形もカバーすることができる。
【図面の簡単な説明】
【０００７】
【図１】本考案の実施例を示す衣服の分解正面図である。
【図２】本考案の実施例に係る後身頃の裏面図である。
【図３】本考案の実施例に係る後身頃の表面図である。
【図４】本考案の実施例に係る右側前身頃の裏面図である。
【図５】本考案の実施例に係る左側前身頃の表面図である。
【図６】本考案の実施例を示す衣服の正面図である。
【考案を実施するための形態】
【０００８】
以下、本考案の実施例を図面に基づいて詳細に説明する。
図１に示すように、本実施例の衣服は、身頃から裁ち出した短い袖を有する、いわゆるフレンチスリーブの上衣であって、１枚の後身頃１と、１枚の右側前身頃（片側前身頃）２と、３枚の左側前身頃（他側前身頃）３ａ，３ｂ，３ｃとを備える。
左側前身頃３ａ，３ｂ，３ｃのデザイン（色・柄・素材・装飾等）は互いに異なるが、本実施例では、１枚の左側前身頃３ａと後身頃１と右側前身頃２を同じ色・柄・素材にしてある。
なお、素材とは、材質だけでなく、織り方や編み方をも含む。
【０００９】
右側前身頃２と後身頃１とは、右側前身頃２の右肩端部及び右脇端部を後身頃１の右肩端部及び右脇端部にそれぞれ縫着することにより、一体に連接されている。右側前身頃２の右脇端部と後身頃１の右脇端部との間において、縫着部分の上方には右側の袖口が形成される。
図２及び図３に示すように、後身頃１の左肩端部には、端縁に沿ってスライドファスナーの一方部材４ａが取り付けられると共に、上部表面にスナップファスナーの雌側部材５ａが縫着されている。また、後身頃１の左脇端縁に沿って、スライドファスナーの一方部材６ａが縫着されている。
後身頃１の右肩端部の裏面上端部には面ファスナーの一方部材７ａが取り付けられている。
【００１０】
図４に示すように、右側前身頃２は、上部から下部に向かって次第に幅狭くなるよう形成され、下端縁は左側が下がるように傾斜している。
また、右側前身頃２の左肩端部は右肩端部より幅狭く、その裏面には、後身頃１の左肩端部に設けたスナップファスナーの雌側部材５ａと着脱自在に係合するスナップファスナーの雄側部材５ｂが取り付けられている。
【００１１】
図５に示すように、左側前身頃３ａ，３ｂ，３ｃは、上部から下部に向かって次第に幅狭くなるよう形成され、下端縁は右側が下がるように傾斜している。
また、左側前身頃３ａ，３ｂ，３ｃの左肩端縁に沿って、後身頃１の左肩端縁に縫着したスライドファスナーの一方部材４ａと着脱自在に係合するスライドファスナーの他方部材４ｂが縫着されている。さらに、左側前身頃３ａ，３ｂ，３ｃの左脇端縁に沿って、後身頃１の左脇端縁に縫着されたスライドファスナーの一方部材６ａと着脱自在に係合するスライドファスナーの他方部材６ｂが縫着されている。
左側前身頃３ａ，３ｂ，３ｃの右肩端部は左肩端部より幅狭く、その表面には、後身頃１の右肩端部に設けた面ファスナーの一方部材７ａと着脱自在に係合する面ファスナーの他方部材７ｂが取り付けられている。
【００１２】
そして、左側前身頃３ａ，３ｂ，３ｃの内のいずれか一つを選択し、図５に示すように、スライドファスナーの一方部材４ａと他方部材４ｂを係合して後身頃１の左肩端部と左側前身頃３ａ，３ｂ，３ｃの左肩端部とを連結し、スライドファスナーの一方部材６ａと他方部材６ｂを係合して後身頃１の左脇端部と左側前身頃３ａ，３ｂ，３ｃの左脇端部とを連結する。後身頃１の左脇端部と左側前身頃３ａ，３ｂ，３ｃの左脇端部との間において、スライドファスナーの一方部材６ａ及び他方部材６ｂの上方には左側の袖口が形成される。
【００１３】
この衣服を着用する際には、右側前身頃２と左側前身頃３ａ，３ｂ，３ｃの前部を開いた状態で、両側の袖口に腕を通した後、左側前身頃３ａ，３ｂ，３ｃの右肩端部に設けた面ファスナーの他方部材７ｂを後身頃１の右肩端部に設けた面ファスナーの一方部材７ａに係合する。
次いで、右側前身頃２を左側前身頃３ａ，３ｂ，３ｃの表面に重ね、右側前身頃２の左肩端部に設けたスナップファスナーの雄側部材５ｂを後身頃１の左肩端部に設けたスナップファスナーの雌側部材５ａに係合する（図６）。
【００１４】
着用時は、右側前身頃２と左側前身頃３ａ，３ｂ，３ｃの前部を重ね合わせてあるだけなので、この部分が摺動して重なり幅が増減することにより、身体のサイズの違いに対応できる。
また、スライドファスナーの一方部材４ａと他方部材４ｂ及びスライドファスナーの一方部材６ａ及び他方部材６ｂを外して、左側前身頃３ａ，３ｂ，３ｃを後身頃１から取り外し、色・柄或いは素材が異なるものと交換することができる。
【００１５】
なお、本考案の衣服の構造は、上記実施例に限定されない。
例えば、左側前身頃を後身頃に縫着し、右側前身頃を後身頃に着脱可能に取り付けることもできる。
また、交換可能な他側前身頃の数は、２枚或いは４枚以上としてもよい。
後身頃と片側前身頃或いは他側前身頃とを着脱可能に連結するために、上記実施例で用いたファスナー以外のファスナーを使用することも可能である。
【符号の説明】
【００１６】
１    後身頃
２    右側前身頃（片側前身頃）
３ａ，３ｂ，３ｃ  左側前身頃（他側前身頃）
４ａ  スライドファスナーの一方部材
４ｂ  スライドファスナーの他方部材
５ａ  スナップファスナーの雌側部材
５ｂ  スナップファスナーの雄側部材
６ａ  スライドファスナーの一方部材
６ｂ  スライドファスナーの他方部材
７ａ  面ファスナーの一方部材
７ｂ  面ファスナーの他方部材
【図１】
0003193805.tif 000003
【図２】
0003193805.tif 000004
【図３】
0003193805.tif 000005
【図４】
0003193805.tif 000006
【図５】
0003193805.tif 000007
【図６】
0003193805.tif 000008